Podtech/llm-jp-corpus-v4-ja_patent huggingface dataset:
(57)【要約】      （修正有）【課題】単品でも、組立形成した姿であっても、視覚的に柔らかい感じを受け、静的な積木遊び及び動的な変化のある面白いゲームの楽しめる積木玩具を提供する。【解決手段】任意の大きさの大小の楕円形状板と一端に平面部を設けた任意の大きさの卵形状の物を、それぞれ複数個を種々組合せる、積上げる、ならべる等をして多種多様な造形を表現する。【選択図】図１
0003155140.tif 000002
【実用新案登録請求の範囲】
【請求項１】
大きさ数種類の楕円形状板及び卵形状の物を数個組合せ、積木玩具としたものである。
【考案の詳細な説明】
【技術分野】
【０００１】本考案は、子供達が楽しくみ遊ぶことに使用される積木に関する。
【背景技術】
【０００２】従来、この種の積木は三角、四角、円柱、円板、立方体、アーチ型等色々な形状のものを組合せて、それらの積木をならべ、積み重ね、組付けたりしながら、楽しむ、遊ぶものである。これら積木の単品の稜線部は直線形状ので、組立形成した姿は視覚的に硬い感じを受ける。また、円柱は転がしても、直径が一定なので、「ころころ」と転がすことはできるが、変化に乏しく面白みに欠けていた。ゲームのできる積木ではなかった。
【考案の開示】
【考案が解決しようとする課題】
【０００３】単品でも、組立形成した姿であっても、視覚的に柔らかい感じを受ける積木、静的な積木遊び及び動的な変化のある面白いゲームの楽しめる積木が求められる。これまで、調査した結果、曲線部で形成された楕円形状板及び卵形状の物等を組合せ、積木玩具として提供された商品は見かけない。
【課題を解決するための手段】
【０００４】本案は、大きさ数種類の楕円形状板及び卵形状の物を数個組合せ、積木玩具として提供する。
【考案の効果】
【０００５】従来の積木と同様に、ならべ、積み重ねながら楽しむ、遊ぶこともできる。本案の積木は楕円形状板及び卵形状の物の稜線部は曲線なので、単品、組立形成した姿は、視覚的に柔らかい感じを受ける。図３の円、図６の動物に示すように、花、昆虫などをイメージしながら作ることで、想像力、観察力、創造力の発達を助け、美的感覚を豊かにする。つくりあげることによって、達成した喜び感じることもできる。また、楕円形状板を立たせ転がすと、長径、短径の繰り返しの立姿で、「ころりんころりん」と転がり、その変化が面白い。楕円形状板を転がすと、指先の力加減で、うまく転がらない、思っていた方向に転がらなかったりするので、大きい楕円形状板でトンネルをつくり、小さい楕円形状板を転がし、くぐらすことを競うことができる。卵形状の物の半球面体側を下にして立てて、両手のひらですりあわせ、回転力を与えると、回転しながら、曲線運動で移動する。手のひら又は指先のまわす力加減で、大きな曲線移動、小さな曲線移動にまわすことができるため、卵形状の物の進む方向を力加減でコントロールすることがでる。これらの特徴を生かして、積上げた積木のまわりを、卵形状の物を回転しながら、まわす、当てる等ができる。このように動的な変化のあるゲームを楽しく遊ぶこができる。手と脳の協同作業と言われている積木遊びは、子供の手指機能の発育、脳の活性化に役立ち、ゲームすることで集中力の発達を促進・育む。
【考案を実施するための最良の形態】
【０００６】図１は、楕円形状板１の正面図で、稜線部は図に示すように曲線である。図２は、卵形状の物２の正面図で、平面３をのぞき稜線部は図に示すように曲線・曲面である。
【図面の簡単な説明】
【０００７】
【図１】楕円形状板の正面図である。
【図２】卵形状の物の正面図である。
【図３】楕円形状板を数個ならべ配置形成（円のイメージ）した実施例の平面図である。
【図４】楕円形状板を数個及び卵形状の物を積上げ形成した実施例の正面図である。
【図５】大小の楕円形状板を数個及び卵形状の物を積上げ形成した実施例の正面図である。
【図６】大小の楕円形状板を数個及び卵形状の物をならべ配置形成（動物のイメージ）した実施例の平面図である。
【図７】楕円形状板を転がしたときの、軌跡の正面図である。
【符号の説明】
【０００８】  １  楕円形状板
２  一部に平面を設けた卵形状の物
３  卵形状の物の平面
４  おおきさが大の楕円形状板
５  おおきさが小の楕円形状板
６  床上、机などの平面
【図１】
0003155140.tif 000003
【図２】
0003155140.tif 000004
【図３】
0003155140.tif 000005
【図４】
0003155140.tif 000006
【図５】
0003155140.tif 000007
【図６】
0003155140.tif 000008
【図７】
0003155140.tif 000009
【手続補正書】
【提出日】平成21年6月2日(2009.6.2)
【手続補正１】
【補正対象書類名】実用新案登録請求の範囲
【補正対象項目名】全文
【補正方法】変更
【補正の内容】
【実用新案登録請求の範囲】
【請求項１】
図３、図４、図５、図６のどれか１つのような形状に組み立てることができるように各パーツを楕円形状及び卵形状にしたことを特徴とする積木玩具。
【手続補正書】
【提出日】平成21年8月19日(2009.8.19)
【手続補正１】
【補正対象書類名】実用新案登録請求の範囲
【補正対象項目名】全文
【補正方法】変更
【補正の内容】
【実用新案登録請求の範囲】
【請求項１】
任意の大きさの大小の楕円形状板と一端に平面部を設けた任意の大きさの卵形状の物を、それぞれ複数個を種々組合せる、積上げる、ならべる等をして多種多様な造形を表現することを特徴とする積み木玩具。
(57)【要約】【課題】雪を高効率で融雪して、融けた水がゴムマットの表面に残らない、透水性・通気性を有する融雪マットの内部のヒーター線を保護する融雪マットを提供する。【解決手段】ゴムチップと接着剤で成形される内部に、ヒーター線が設置されている透水性ゴムチップ層の上面に、自然石等の硬質物質を接着剤で混合して、一体成形された事を特徴とする、融雪マットを要旨とする。【選択図】図１
0003155751.tif 000002
【実用新案登録請求の範囲】
【請求項１】
ゴムチップと接着剤で成形された内部に、電気ヒーター線や面状発熱体を有する透水性ゴムチツプ層の上面に、３ｍｍ〜１０ｍｍの任意の粒径を有する自然石や人工石やガラス又は、プラスチック等の硬質材料をゴムチップが（０％〜８０％）の割合で接着剤で混合しさらに、厚さ５ｍｍ〜３０ｍｍの任意の厚さで一体成型された、透水性を有する融雪マツト。
【考案の詳細な説明】
【考案の詳細な説明】
【技術分野】
【０００１】    本考案は、自然石融雪マットに関する。
【背景技術】
【０００２】    従来、融雪マットと呼ばれるものは、ゴムマット内部に、電熱線や面状発熱体等の発熱で、ゴムマット自体を加熱して、マット表面の温度を上昇させて、融雪する方法であった。
【考案が解決しようとする課題】
【０００３】    しかしながら、上記の融雪マットにおいて、ゴムマット内部に設置された、電気発熱体は上から重い物を落としたり、先の尖った物で突いたりすると、断線の危険性があった。
【０００４】    さらに、ゴムである為に、擦り減ったり、色あせの問題が生じた。
【問題を解決するための手段】
【０００５】    上記課題を解決する為に、ゴムチップと接着剤で成形された内部に、電気発熱体を有する透水性ゴムチツプ層の上面に、３ｍｍ〜１０ｍｍの任意の粒径を有する自然石や人工石やガラス又は、プラスチック等の硬質材料をゴムチップが（０％〜８０％）の割合で接着剤で混合し、厚さ５ｍｍ〜３０ｍｍの任意の厚さで一体成型された、融雪マットを提供する。
【考案の効果】
【０００６】    本考案の融雪マットは、基本的に、電気発熱体を内部に有する、ゴムチップ層の上面に、代表的な例として、自然石の粒を接着剤で一体成形することにより、上からの衝撃や、尖った物で突いても、ゴムチツプ内部のヒーター線に影響を及ぼさないのである。
【０００７】    又、自然石等の硬質材料の為、すり減ったり、色あせしたりしないのである。
【０００８】    さらに、ゴムチップと同様に、透水性が有るため水が、表面に残らず凍結することもない。
以上のように、本考案は有効な効果を有し、産業上の利用価値は、極めて高いのである。
【考案の実施形態】
【０００９】    以下、本考案を図面に基づいて詳細に説明する。
図１は、本考案の実施形態に係る代表的な例である、自然石融雪マットの図である。図２は、図１のＡ−Ａ線拡大断面図。
【００１０】    この自然石融雪マットは、図１に示す様に、代表的な例である自然石融雪マット１、電源線２、差し込みプラグ３、図２のヒーター線６、等の主要部品で構成されている。
【００１１】    図２において、ゴムチップ層５は、ゴムチップと接着剤で成形されているが、その時一緒に、ヒーター線６、が設置されて一体成形され、さらに、自然石層４が接着剤で混合されて、ゴムチップ層５、の上面にゴムチップ層５と共に一体形成され自然石融雪マット１となる。ヒーター線６は、電源線２と接続されている。
【００１２】    図１において、本考案の好適な使用例を説明する。玄関や階段、駐車場等に設置された自然石融雪マット１は、ゴムチップ層５の内部にあるヒーター線６が、差し込みプラグ３と電源線２から供給された電気により、発熱して、自然石層４の表面に積もった雪や氷を融かすのであるが、従来のゴムチップだけだと、上から重い物を落としたり、鋭い物で突いたりすると、内部のヒーター線を傷つけたりしたが、本考案は、代表的な例である自然石の層が衝撃をくい止めて、ヒーター線を保護するのである。又、ゴムチップと違って自然石等の硬質材料は、擦り減ったり、色あせしないのである。
【図面の簡単な説明】
【００１３】
【図１】本考案の実施形態に係る、自然石融雪マットの構成部材を示す平面図である。
【図２】図１のＡ−Ａ線拡大断面図
【符号の説明】１，自然石融雪マット
２，電源線
３，差し込みプラグ
４，自然石層
５，ゴムチップ層
６，ヒーター線
【図１】
0003155751.tif 000003
【図２】
0003155751.tif 000004
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
ゴムチップと接着剤で成形され、その内部に電気ヒーター線や面状発熱体を有する透水性ゴムチップ層を有し、前記透水性ゴムチップの上面に、３ｍｍ〜１０ｍｍの任意の粒径を有する自然石や人工石やガラス又はブラスチック等の硬質材料をゴムチップが０％〜８０％の割合となるよう接着剤で混合し厚さ５ｍｍ〜３０ｍｍの任意の厚さで一体成型された硬質材料の層を有する、透水性を有する融雪マツト。
(57)【要約】      （修正有）【課題】市販のティッシュ収納紙箱を冷蔵庫や壁面等の適当な位置に取り付けたり立たせたりすることができるティッシュ箱カバーを提供する。【解決手段】多層状に折畳んだティッシュペーパを収納する紙箱本体１にティッシュペーパ収納紙箱カバー３に帯状マグネット５ａ，５ｂを装着させたことを特徴とする。帯状マグネット５ａ等を貼ったカバー３が、壁面に貼る帯状マグネット６とで落下せず何処でも固定して使用できる。【選択図】図１
0003155772.tif 000002
【実用新案登録請求の範囲】
【請求項１】
多層状に折畳んだティッシュペーパを収納する紙箱にそれを収納するカバーに帯状マグネットを装着させることを特徴とするティッシュペーパ収納紙箱カバー。
【請求項２】
多層状に折畳んだティッシュペーパを収納する紙箱にそれを収納するカバーに装着させる帯状マグネットに取替え用の穴を設けた請求項１のティッシュペーパ収納紙箱カバー。
【考案の詳細な説明】
【技術分野】
【０００１】  本考案は多層状に折畳んだティッシュペーパを１枚ずつ引出し自在に収納するティッシュペーパ収納箱カバーに関する。
【背景技術】
【０００２】  従来、多層状に折畳んだティッシュペーパを収納する箱本体に帯状磁石や粘着テープを取付け、箱本体を帯状磁石や粘着テープによって冷蔵庫の側面などに接着させる技術がある。
【先行技術文献】
【特許文献】
【０００３】
【特許文献１】特許公開２００３−２００８０号
【特許文献２】特許公開２００４−３１４９９９号
【考案の概要】
【考案が解決しようとする課題】
【０００４】  前記従来技術は、市販の多層状に折畳んだティッシュペーパを収納する箱本体を特別に加工して形成するため取扱い上の問題があった。
【課題を解決するための手段】
【０００５】  然るに、本考案は、市販の多層状に折畳んだティッシュペーパを収納する箱本体をカバーとそれを固着する壁面との一対の帯状マグネットで容易に接着し得るもので、カバーに装着する場所を底面や長手方向の端縁側面に変えることにより、壁面に取り付けることもできるし、また、机等に自立させることもできる。
【考案の効果】
【０００６】  市販の多層状に折畳んだティッシュペーパを収納する箱本体１の外側に帯状マグネット５を貼ったカバー３は、壁面に貼った帯状マグネット６とで落下せずどこでも固定して使用できるものである。
【図面の簡単な説明】
【０００７】
【図１】本考案に係る市販の多層状に折畳んだティッシュペーパを収納する箱を挿入したカバーの底面に帯状マグネットを装着しそれと対になった壁面側の帯状マグネットを示す斜視図である。
【図２】本考案に係るカバーの長手方向の端縁側面に帯状マグネットを装着し市販の多層状に折畳んだティッシュペーパを収納する箱が自立させて使用するときを示す斜視図である。
【図３】本考案に係る市販の多層状に折畳んだティッシュペーパを収納する箱を挿入したカバーの底面に帯状マグネットを装着し壁面に取り付けた状態を示す参考写真
【図４】本考案に係るカバーの長手方向の端縁側面に帯状マグネットを装着し市販の多層状に折畳んだティッシュペーパを収納する箱が自立させて使用している状態を示す参考写真。
【考案を実施するための形態】
【０００８】  図１について説明する。市販の多層状に折畳んだティッシュペーパを収納する箱１を挿入したカバー３の底面に帯状マグネット５ａ５ｂを装着しそれと対になった壁面側の帯状マグネット６を示す。冷蔵庫のように磁性面をもつ壁面の場合に直接装着することができるが、非磁性面の壁面の場合帯状マグネット６を予め装着する壁面に貼って使用する。
【０００９】図２については、考案に係るカバーの長手方向の端縁側面に取替え時指で押す穴を設けた帯状マグネットを装着し市販の多層状に折畳んだティッシュペーパを収納する箱が自立させて使用する。
【符号の説明】
【００１０】１  市販の多層状に折畳んだティッシュペーパを収納する箱
２  ティッシュペーパ収納紙箱カバーの蓋
３  ティッシュペーパ収納紙箱カバー本体
４  ティッシュペーパ収納紙箱カバー取替え時指で押す穴
５  ティッシュペーパ収納紙箱カバーに装着した帯状マグネット
６  ティッシュペーパ収納紙箱カバーに装着した帯状マグネットと対になる面に貼る帯状マグネット
【図１】
0003155772.tif 000003
【図２】
0003155772.tif 000004
【図３】
0003155772.tif 000005
【図４】
0003155772.tif 000006
(57)【要約】【課題】  春夏秋冬の四季の自然サイクル、学校の学期サイクル、会社の四半期毎や半期毎の決算、経営計画などの会社サイクルに合致し、長期的視野に立った計画性のある社会生活の営みに役立つとともに、資源の節約に貢献するカレンダーを提供する。【解決手段】  一度に視野に入る月数を多くすることで、すなわち、３ヶ月、４ヶ月、または６ヶ月分をまとめて一枚のカレンダーに構成することで、紙枚数を少なくし、月毎の切り取り後も常に３ヶ月、４ヶ月、または６ヶ月分が掲示されるようにして、視野の上からも長期的スケジュールを常に把握することに役立つ。【選択図】図１
0003155775.tif 000002
【実用新案登録請求の範囲】
【請求項１】
一枚のカレンダーを月毎切り取り点線の入った３ヶ月分で構成して、切り取り後も常に３ヶ月分を掲示することができることを特徴とするカレンダー。
【請求項２】
一枚のカレンダーを月毎切り取り点線の入った４ヶ月分で構成して、切り取り後も常に４ヶ月分を掲示することができることを特徴とするカレンダー。
【請求項３】
一枚のカレンダーを月毎切り取り点線の入った６ヶ月分で構成して、切り取り後も常に６ヶ月分を掲示することができることを特徴とするカレンダー。
【考案の詳細な説明】
【技術分野】
【０００１】  本考案は、紙資源の節約と長期的視野に立った社会サイクルに順応するために、月毎切り取り点線の入った３ヶ月、４ヶ月、または６ヶ月分を一枚で構成して、切り取り後も常に３ヶ月、４ヶ月、または６ヶ月分を掲示することができるカレンダーに関するものである。
【背景技術】
【０００２】  １ヶ月または２ヶ月分を一枚とした月毎切り取りカレンダーは、紙枚数が多く、嵩張り、また切り取り回数が多く煩雑で、かつ１，２ヶ月の視界から長期的スケジュールの立案に難点がある。
【先行技術文献】
【特許文献】
【特許文献１】
【特許文献２】
【非特許文献】
【０００３】
【非特許文献１】  公開実用新案公報  平４−６０４６２
【非特許文献２】  公開実用新案公報  昭４８−６５３５２
【考案の概要】
【０００４】  本考案は、３ヶ月、４ヶ月、または６ヶ月分を一枚とし、月毎切り取り点線の入ったカレンダーで、切り取り後も常に３ヶ月、４ヶ月、または６ヶ月分が掲示されることから長期的スケジュールを視野に入れることができる。
【考案の開示】
【考案が解決しようとする課題】
【０００５】  １ヶ月または２ヶ月分を一枚とした月毎切り取りカレンダーは、紙枚数が多く、嵩張ること、紙資源の無駄、切り取り回数の多さ、煩わしさ、切り取り忘れ、さらに１，２ヶ月カレンダーでは視野に入る月数が１，２ヶ月であるため短期的視野に陥りがちで、それ以上の月数となるとカレンダーをめくって頻繁に確認しなければならないなどの欠点を解決しようとするものである。
【課題を解決するための手段】
【０００６】  本考案は、視野に入る月数を多くすることで、すなわち月毎の切り取り点線の入った３ヶ月、４ヶ月、または６ヶ月分をまとめて一枚に構成することで、紙枚数を少なくし、切り取り後も常に３ヶ月、４ヶ月、または６ヶ月分が掲示されるようにして視野の上からも長期的スケジュール感を把握できることで問題点を解決している。
【考案の効果】
【０００７】  上述のように、本考案の３ヶ月、４ヶ月、６ヶ月カレンダーは、紙枚数が減り、紙資源の無駄使いを減らし、地球環境にやさしく、切り取り回数も減り、煩わしさも減り、切り取り忘れも減り、長期的視野に立ったスケジュール管理ができ、旅行の早期企画、予約に役立つとともに、春夏秋冬の四季、学校の学期、四半期や半期の経営上の決算などの自然のサイクル、学校や会社の社会サイクルに合致するなど、より長期的視野に立った計画的社会生活の営みに役立つ。
【考案を実施するための形態】
【０００８】  一枚のカレンダーに掲示する切り取り点線の入った月数を３ヶ月、４ヶ月、または６ヶ月とし、１ヶ月経過ごとに切り取り点線から切り離せば、その下のカレンダー月が新たに現れ、常に３ヶ月、４ヶ月、または６ヶ月分が掲示された状況で維持される。
【実施例】
【０００９】  以下、添付図面、図１にしたがって、３ヶ月カレンダーの一実施例を説明する。１は３ヶ月分の写真とか図柄の部分で、下に順次３ヶ月分の写真とか図柄が重ねられている。２は３ヶ月分を次の３ヶ月分の写真とか図柄にめくるときの切り取り点線、３は月毎の切り取り点線で、このうちの最後の月の上の切り取り点線については、大きくめくるので必ずしも必要としない。４は月毎のカレンダーで月毎に切り落とされていく。
【産業上の利用可能性】
【００１０】  企業の四半期、半期決算や経営計画の時間スパンの管理として、また、３ヶ月、４ヶ月、６ヶ月分の祝日が常に視野確認できることから、旅行計画、予約に見逃しが無く、観光立国日本の活性化にもつながる可能性がある。
【図面の簡単な説明】
【００１１】
【図１】本考案の３ヶ月カレンダーの一実施例を示す正面図である。
【符号の説明】
【００１２】  １  カレンダーの３ヶ月分の写真とか図柄の部分
２  ３ヶ月分のめくりの切り取り点線
３  月毎の切り取り点線
４  月毎のカレンダー（例は、１月、２月、３月の３ヶ月分を示す）
【図１】
0003155775.tif 000003
(57)【要約】      （修正有）【課題】便器を清潔に保つ事が出来る便器の足型シールを提供する。【解決手段】便器１の床２に便器の足型シール３を設け、用を足す際に便器の足型シール３の上に足を乗せ便器１に用を足す。【選択図】図３
0003155774.tif 000002
【実用新案登録請求の範囲】
【請求項１】
便器の床の両側部分に足型シールを設け、設置する便器の足型シール。
【考案の詳細な説明】
【技術分野】
【０００１】  本考案は便器の両側に足型シールを置き、足型シールの上に両足を乗せ小便をし、便による汚れを防ぐ足型シールである。
【背景技術】
【０００２】  従来は便器で用を足す際、小便を便器の横や便器の周りに飛び散らし汚していた。
【先行技術文献】
【特許文献】
【０００３】
【特許文献１】
【非特許文献】
【０００４】
【非特許文献１】
【考案の概要】
【考案が解決しようとする課題】
【０００５】  トイレで用を足す際、便器の周りを小便で汚す。
【課題を解決するための手段】
【０００６】  便器の両側に足型シールを設け、足型シールの上に足を乗せ用を足っすれば、便器や便器の周りを汚す事がなくなる様考案されている。
【考案の効果】
【０００７】  便器の両側に足型シールを設け、足型シールの上に乗り便器の真ん中に立ち、小便をする事で便器の周りに小便を垂らすことも無いので、トイレの悪臭や不快感を取り除く便器の足型シールである。
【図面の簡単な説明】
【０００８】
【図１】従来の便器正面図
【図２】便器の足型シール正面図
【図３】本考案便器の足型シール
【考案を実施するための形態】
【０００９】  現在の便器床部分に本考案便器の足型シールを設け、用を足す際その足型シールに乗り小便をする。
【実施例】
【００１０】  便器１の床２部分に、便器の足型シール３を便器１の両側に設ける。
【符号の説明】
【００１１】１  便器
２  床
３  便器の足型シール
【図１】
0003155774.tif 000003
【図２】
0003155774.tif 000004
【図３】
0003155774.tif 000005
(57)【要約】      （修正有）【課題】投入後小突きをするたびに錘が踊るようになり砂地の場合に砂煙等が発生することで獲物が寄ってくることが期待できる錘脚装置を提供する。【解決手段】筒３の周りに押すコイルバネ脚５，５ａ，５ｂを備えそれを錘１に取り付けビス４，４ａ，４ｂで溝１ａに向かって固定する。さらに、錘１に取り付ける筒３と押すコイルバネ脚５，５ａ，５ｂを左巻きと右巻きを備え、棒脚の場合に端に半丸形を備える。各々の仕掛けを投入することによって着地後に道糸１２で小突きすると、押すコイルバネ脚５，５ａ，５ｂは踊るように動く。又、棒脚の錘を動かすことによって着地の瞬間に砂煙等が発生する。又、筒の周りにシールを貼ると一段と獲物が寄ってくるのでさらに釣りの効果があがる。【選択図】図１
0003155780.tif 000002
【実用新案登録請求の範囲】
【請求項１】
錘の周りに取り付けるための筒と前記筒の底部に固定された脚とを備えたことを特徴とする錘脚装置。
【請求項２】
前記脚は３本以上から成り前記筒を支えるコイルバネから成ることを特徴とする請求項１記載の錘脚装置。
【請求項３】
前記脚は３本以上から成り前記筒を支える棒から成ることを特徴とする請求項１記載の錘脚装置。
【請求項４】
前記錘に溝を備えたことを特徴とする請求項１記載の錘脚装置。
【考案の詳細な説明】
【技術分野】
【０００１】本考案は釣り具に関する錘脚装置に関わるものである。
【背景技術】
【０００２】従来の釣り用錘にコイルバネが錘に固定とコイルバネで根が掛りするので不利不便である。
【先行技術文献】
【特許文献】
【０００３】特開平６−３０３８８５号公報
【考案の概要】
【考案が解決しようとする課題】
【０００４】しかし、これでは根が掛りの場所では不便を生じるので不便である。
【課題を解決するための手段】
【０００５】錘の周りに取り付けるための筒と前記筒の底部に固定された脚とを備えたことを錘脚装置を考案した（図１，２）。【０００６】脚は３本以上から成り筒を支えるコイルバネから成ること錘脚装置を考案した（図１）。【０００７】脚は３本以上から成り筒を支える棒から成ること錘脚装置を考案した（図２）。【０００８】錘に溝を備えたこと錘脚装置を考案した（図１，２）。
【考案の効果】
【０００９】よって、本考案は筒の周りに押すコイルバネ脚を備えそれを錘１に取り付けビス４，４ａ，４ｂで溝１ａに向かって固定する。投入後小突きをするたびに錘１が踊るようになり砂地の場合に砂煙等が発生することで獲物が寄ってくるので釣りの効果があがる。
【考案を実施するための形態】
【００１０】本考案に関わる錘脚装置は図１、２に示すように錘１に取り付ける筒３と押すコイルバネ脚５，５ａ，５ｂを左巻きと右巻きを備える、又、棒脚１０，１０ａ，１０ｂの場合に端に半丸形１１，１１ａ，１１ｂを備える。各々の仕掛けを投入することによって着地後に道糸１２又は、道糸１３等で小突きすると押すコイルバネ脚５，５ａ，５ｂは踊るように動く又、棒脚１０，１０ａ，１０ｂの錘７が動かすことによって着地の瞬間に砂煙等が発生する、又、筒９の周りにシールを貼ると一段と獲物が寄ってくるのでさらに釣りの効果があがる。
【図面の簡単な説明】
【００１１】
【図１】本考案に係わる錘脚装置の押すコイルバネ脚の斜視図である。
【図２】本考案に係わる錘脚装置の棒脚の斜視図である。
【符号の説明】
【００１２】    １  錘                    １ａ  溝                    ２  フック      ３  筒
４  ビス                  ４ａ  ビス                ４ｂ  ビス
５  押すコイルバネ        ５ａ  押すコイルバネ
５ｂ  押すコイルバネ          ６  フック                ７  錘
７ａ  溝                      ８  ビス                ８ａ  ビス
８ｂ  ビス                    ９  筒                  １０  棒脚
１０ａ  棒脚                １０ｂ  棒脚                １１  半丸形
１１ａ  半丸形              １１ｂ  半丸形              １２  道糸
１３  道糸
【図１】
0003155780.tif 000003
【図２】
0003155780.tif 000004
(57)【要約】      （修正有）【課題】水を入れたバケツを片手でも操作しやすいようにバケツの上部に設ける把手を、橋渡しせずに一方の側面にのみ留め付けたバケツを提供する。【解決手段】バケツ１の開口部３の一方の側面の内側又は外側に、開口部３の中心点に向かって、開口部３の縁と同じ形状の円弧状に湾曲させた把手２を留具４を介して設ける。把手２は留具４により半回自動自在に設ける。使用する時は把手２の上部即ちバケツ１の上部の開口部中心点の上部付近を手７で握る。使用しない時又は水等を中に入れる時は把手２を左右どちらかに横に倒す。中の水等をあける時は、片手で把手２を握ったままバケツ１を傾ける。このようにすれば片手でもスムーズに作業することができる。【選択図】図５
0003155777.tif 000002
【実用新案登録請求の範囲】
【請求項１】
バケツの上部に設ける把手において、バケツの上部開口部の一方の側面の内側又は外側に、開口部の中心に向かって、開口部の縁と同じ形状の円弧状に湾曲させて設けたことを特徴とするバケツの把手。
【考案の詳細な説明】
【技術分野】
【０００１】  本考案は、バケツの上部に設ける把手において、片手でも操作しやすいように橋渡しせずに一方の側面にのみ留め付けたことを特徴とするバケツの把手に関するものである。
【背景技術】
【０００２】  従来、バケツの把手は半円弧状にした金属やプラスチックの軸を、バケツ上部開口部の側面に半回自動自在に橋渡して取り付けたものである。
【考案の開示】
【考案が解決しようとする課題】
【０００３】  そのために、つぎのような問題点があった。図３で示すように片手で把手を持ってバケツを傾け中の水をあけようとすると把手の一方の取り付け部付近に水がぶつかってしまう。このためバケツの水をあける時は、図４で示すようにもう一方の手でバケツの底を持って支える必要がある。これは片手の不自由な人にとっては困難な作業である。
【課題を解決するための手段】
【０００４】  バケツの上部の開口部の一方の側面に、開口部中心点に向かって円弧状に湾曲させた軸を半回自動自在に取り付ける。
【考案の効果】
【０００５】  バケツの把手を片手で持ち上げそのまま傾けて中の水をあけようとする時、図５で示すように水が把手の一方にぶつかることがなく、片手でも楽に作業をすることができる。
【考案を実施するための最良の形態】
【０００６】  以下、本考案の実施の形態について説明する。
（イ）バケツ（１）の開口部（３）の一方の側面の内側又は外側に、開口部（３）の中        心点（５）に向かって、開口部（３）の縁と同じ形状の円弧状に湾曲させた把手        （２）を留具（４）を介して設ける。
（ロ）把手（２）は留具（４）により半回自動自在に設ける。
本考案は以上の構成で、これを使用する時は把手（２）の上部即ちバケツ（１）の上部の開口部中心点（５）の上部付近を手（７）で握る。使用しない時又は水等を中に入れる時は把手（２）を左右どちらかに横に倒す。中の水等をあける時は、片手で把手（２）を握ったままバケツ（１）を傾ける。このようにすれば片手でもスムーズに作業することができる。
【図面の簡単な説明】
【０００７】
【図１】  本考案の使用時の斜視図
【図２】  本考案の不使用時の斜視図
【図３】  従来のバケツの把手の使用状態を示す側面図
【図４】  従来のバケツの把手の他の使用状態を示す側面図
【図５】  本考案のバケツの把手の使用状態を示す側面図
【符号の説明】
【０００８】１  バケツ
２  把手
３  開口部
４  留具
５  開口部中心点
６  底
７  手
８  水
【図１】
0003155777.tif 000003
【図２】
0003155777.tif 000004
【図３】
0003155777.tif 000005
【図４】
0003155777.tif 000006
【図５】
0003155777.tif 000007
(57)【要約】      （修正有）【課題】銅鋼を使用することにより、該銅鋼より溶出する銅イオンの触媒作用によって、水中の酸素を活性酸素化し、水棲微生物が鋼に過剰付着することを防止することにより、魚介等の養殖と生育環境を向上させる魚介類の養殖施設用ネットを提供する。【解決手段】線径が、１ｍｍ乃至５ｍｍ程度の銅線であって、網目が、魚類等の逃出を防止できる程度の亀甲型網目を形成し、該亀甲型網目が縦横方向に繰返し連続する銅網によって該養殖施設用ネットを構成する。【選択図】図１
0003155771.tif 000002
【実用新案登録請求の範囲】
【請求項１】
線径が、１ｍｍ乃至５ｍｍ程度の銅線であって、網目が、魚類等の逃出を防止できる程度の亀甲型網目を形成し、該亀甲型網目が縦横方向に繰返し連続する銅網によって構成されることを特徴とする魚介類の養殖施設用ネット。
【考案の詳細な説明】
【考案の詳細な説明】
【技術分野】
【０００１】  本考案は、魚介類の養殖施設用ネットに関するものである。
【背景技術】
【０００２】  周知のように、銅および銅合金は、導電材料，接点材料，抵抗材料，ばね材料，構造材料など、広範囲に使用されている。【０００３】  また、銅の表面から溶出する微量の銅イオンは、太陽光に反応せず、抗菌（静菌）効果を発揮することが知られている。
【考案の開示】
【考案が解決しようとする課題】
【０００４】  本考案は、係る銅イオンが抗菌性，殺菌性を有していることに着目し、開発された魚介類の養殖施設用ネットを提供するものである。
【課題を解決するための手段】
【０００５】  本考案は、海産魚介類，淡水魚介類の養殖施設用資材として有効活用できるネットであって、詳しくは本考案は、線径が１ｍｍ乃至５ｍｍ程度の銅線であって、網目が魚介等の逃出を防止できる程度の亀甲型網目を形成し、該亀甲型網目が縦横方向に繰返し連続する銅網によって構成されることを特徴とする。
【考案の効果】
【０００６】  本考案は、前記［０００５］項において説明したような形態で実施され、以下に記載するような効果を奏する。【０００７】  本考案に係る魚介類の養殖施設用ネットを、例えば海面の囲い網（図示しない。）として使用した場合、銅網より溶出する微量の銅イオンが水中の水棲微生物と接触し、かつ、水棲徼生物の酵素やタンパク質と結合するから、水棲微生物の活性を低下させ、水棲微生物の代謝機能を阻害することになる。【０００８】  また、前記銅網より溶出する銅イオンの触媒作用によって空気あるいは朱中の酸素の一部を活性酸素化するから、水棲微生物中の有機物を分解することができると考えられる。【０００９】  従って、本考案においては、銅網により溶出する微量の銅イオンにより、水棲微生物が銅網に過剰付着するのを解消することができると共に、銅網の防汚を可能にする。【００１０】  また、従来の養殖漁業施設では、魚類等の病害を防ぐために大量の薬品が投与され、その結果、変形魚や養殖場周辺の環境汚染が危惧されているが、本考案は上述のように構成したから、養殖魚介類の生育環境を好条件に保持することができる。
【考案の実施するための最良の形態】
【００１１】  本考案の実施例を、図１，図２に基き説明する。
図１は、本考案に係るネット（網）の構造展開図，図２は、部分拡大説明図である。
【００１２】  本考案に係るネット（網）１は、線径ａが、１ｍｍ乃至５ｍｍ程度の銅線であって、網目２が魚類の逃出を防止できる程度の亀甲型網目３に形成され、該亀甲型網目３が、縦横方向に繰返し連続する網目形態の銅網４によって構成されるものである。
【００１３】  そして、上記銅網４の使用と、適宣の設置工法により、魚類の遊泳空間を有する養殖用施設（例えば、囲い網）を構成することが可能になる。
【図面の簡単な説明】
【図１】  本考案品の構造展開図である。
【図２】  本考案品の部分拡大説明図である。
【符号の説明】  １  ネット（網）
２  網目
３  亀甲型網目
４  銅網
【図１】
0003155771.tif 000003
【図２】
0003155771.tif 000004
(57)【要約】      （修正有）【課題】視覚障害者も健常者と同じように安全に確実にＡＥＤの操作が出来るようにする点字ブロック付ＡＥＤを提供する。【解決手段】ＡＥＤ操作部に点字ブロックや点字シールを表示する事によって、各部の表示確認が視覚障害者も出来る自動体外式除細動器を構成する。上記の点字ブロックは、ＡＥＤ本体表面操作部作成時に金型と一体としたもので成形された物や各ブロック毎に成形された物としても良い。又、上記の点字シールは、亜鉛版自動製版や発泡式点字印刷版及びライン・プリンター、点字タイプライター、点字板、パソコン等で専用シールに点字された物やフリーサイズのシールに点字されたものであっても良い。【選択図】図３
0003155734.tif 000002
【実用新案登録請求の範囲】
【請求項１】
ＡＥＤ操作部に点字ブロックや点字シールを表示する事によって、各部の表示確認が視覚障害者も出来る。
【請求項２】
点字ブロックは、ＡＥＤ本体表面操作部作成時に金型と一体としたもので成形された物や各ブロック毎に成形された物も含む。
【請求項３】
点字シールは、専用シールや類似したもの全てを含む。
【考案の詳細な説明】
【技術分野】
【０００１】本発明は、ＡＥＤ操作盤表示に関するものである。
【背景技術】
【０００２】従来より、健常者が視覚で操作するような表示はされている。
【考案の概要】
【考案が解決しようとする課題】
【０００３】ところが、前記のＡＥＤの操作盤表示だけでは視覚障害者には操作が出来ない。【０００４】そこで、本発明はＡＥＤ操作盤に指で触って確認できる方式を発明し、視覚障害者も健常者と同じ操作が出来るようにするのが目的である。
【課題を解決するための手段】
【０００５】請求項１に記載の発明は、ＡＥＤ操作盤の改良によって視覚障害者も健常者と同様に安全で確実に操作できるようになる。【０００６】請求項２に記載の発明は、健常者が操作をおこなうものと決め付けた操作盤表示となっている。【０００７】請求項３に記載の発明は、操作盤の表面に各部の名称表示突起物がないため、視覚障害者には判別不能である。【０００８】請求項４に記載の発明は、操作盤に各部の名称を点字シール又は点字ブロックで表示することで、視覚障害者も操作できるようになる。
【考案の効果】
【０００９】請求項１〜４に記載された発明は、視覚障害者も健常者と同様に安全で確実にＡＥＤの操作が出来るようになり要援護者となりうる者を救助者として活動することが可能になる。
【図面の簡単な説明】
【００１０】
【図１】本発明の第１実施形態を示す点字ブロック（点字シール）の正面図
【図２】ＡＥＤ操作盤
【図３】ＡＥＤ操作盤に点字シールを表示
【考案を実施するための形態】
【００１１】以下、本発明を具体化した第１実施形態を図面に基づいて説明する。
【００１２】図１、図２、図３によって視覚障害者も操作可能になる。
【図１】
0003155734.tif 000003
【図２】
0003155734.tif 000004
【図３】
0003155734.tif 000005
【手続補正書】
【提出日】平成21年8月6日(2009.8.6)
【手続補正１】
【補正対象書類名】実用新案登録請求の範囲
【補正対象項目名】全文
【補正方法】変更
【補正の内容】
【実用新案登録請求の範囲】
【請求項１】
ＡＥＤ操作部に点字ブロックや点字シールを表示する事によって、各部の表示確認が視覚障害者も出来る自動体外式除細動器。
【請求項２】
点字ブロックは、ＡＥＤ本体表面操作部作成時に金型と一体としたもので成形された物や各ブロック毎に成形された物も含む、請求項１に記載の自動体外式除細動器。
【請求項３】
点字シールは、亜鉛版自動製版や発泡式点字印刷版及びライン・プリンター、点字タイプライター、点字板、パソコン等で専用シールに点字された物やフリーサイズのシールに点字されたもの全てを含む請求項１に記載の自動体外式除細動器。
(57)【要約】      （修正有）【課題】表面に汚れや指紋が付きにくいとともに、表面反射によるテカリの発生がなく、それにより画面の視認性を良好とする携帯電話機の液晶画面等に好適に使用される液晶画面用保護シートを提供する。【解決手段】液晶画面用保護シート１は従来の保護シートと同様に携帯電話機の液晶画面上に貼り付けられて用いられる。液晶画面用保護シート１はポリエチレンテレフタレート樹脂よりなり、提供時においてはその表面にポリエチレンテレフタレート樹脂よりなる表面保護フィルム３が貼り付けられ、裏面にウレタン樹脂粘着剤５を介してポリエチレンテレフタレート樹脂よりなる裏面保護フィルム６が貼り付けられている。使用に際しては表面保護フィルム３、裏面保護フィルム６がともに剥がされるとともに、ウレタン樹脂粘着剤５層が液晶画面上に貼り付けられた状態とする。【選択図】図２
0003155738.tif 000002
【実用新案登録請求の範囲】
【請求項１】
プラスチック製で、表面の全面が均一な微細凹凸構成とされてなる液晶画面用保護シート。
【請求項２】
携帯電話機用である請求項１記載の液晶画面用保護シート。
【考案の詳細な説明】
【技術分野】
【０００１】  この考案は、携帯電話機等の液晶画面を保護するように用いる液晶画面用保護シートに関する。
【背景技術】
【０００２】  携帯電話機において、液晶画面が損傷することがないようにその表面にプラスチックス製の保護シートが貼られることが行われている。
【考案の開示】
【考案が解決しようとする課題】
【０００３】  しかしながら上記保護シートは、手が触れることで汗や油分が表面に付着して汚れるとともに、指紋が付きやすく、それにより画面が見えにくくなる問題があった。また、保護シートはプラスチックス製であることでで、表面反射によるテカリが発生して画面が見えにくくなることがあった。【０００４】  この考案では、表面に汚れや指紋が付きにくいとともに、表面反射によるテカリの発生がなく、それにより画面の視認性を良好とする携帯電話機の液晶画面等に好適に使用される液晶画面用保護シートを提供することを目的とする。
【課題を解決するための手段】
【０００５】  この考案では、プラスチックス製で、表面の全面が均一な微細凹凸構成とされてなる液晶画面用保護シートを提供する。この考案の液晶画面用保護シートは携帯電話機用として好適に用いられる。【０００６】  この考案の液晶画面用保護シートは、表面の全面が均一な微細凹凸構成とされているので、手の汗や油分が凹み部分には付かないことでその付着量が少なく、またそれが連続した模様を形成しないことで、汚れや指紋が付きにくくなり、これにより画面を見やすく保つ。また、表面反射量が減少することでテカリの発生がなく、これによっても画面を見やすく保つ。【０００７】  表面全面の均一な微細凹凸構成の設計は、汚れや指紋が付着しにくく、かつ、画面の視認性を損なわない透明度を保つように行われ、例えば、点状に微細突起（凸）または微細へこみ（凹）が表面の全面に高密度に均一に配置される構成、表面の全面に非常に浅い細線（凹）が高密度に均一に配置される構成等により実現される。その製作は機械的、化学的各種の方法によりなされる。
【考案の効果】
【０００８】  この考案によれば、表面に汚れや指紋が付きにくく、かつ、表面反射によるテカリの発生がないことで、画面の視認性を良好とする携帯電話機の液晶画面等に好適に使用される液晶画面用保護シートが得られる。
【考案を実施するための形態】
【０００９】  図１はこの考案の携帯電話機用である液晶画面用保護シートの使用状態を示す斜視図、図２は同提供時の断面図である。
【００１０】  液晶画面用保護シート１は従来の保護シートと同様に携帯電話機Ｔの液晶画面Ｄ上に貼り付けられて用いられる。液晶画面用保護シート１はポリエチレンテレフタレート樹脂よりなり、提供時においてはその表面にポリエチレンテレフタレート樹脂よりなる表面保護フィルム３が貼り付けられ、裏面にウレタン樹脂粘着剤５介してポリエチレンテレフタレート樹脂よりなる裏面保護フィルム６が貼り付けられている。使用に際しては表面保護フィルム３、裏面保護フィルム６がともに剥がされるとともに、ウレタン樹脂粘着剤５層が液晶画面Ｄ上に貼り付けられて取り付けられる。
【００１１】  図３は液晶画面用保護シート１の表面部分の拡大断面図であり、その表面Ｆの全体にきわめて微細な点状の突起８が均一にきわめて高密度に配置されており、このような構成により液晶画面用保護シート１はその表面Ｆの全面が均一な微細凹凸構成とされている。その表面Ｆに指面が接触した場合、汗や油分は突起８それぞれの頂部のみにしか付着せず、その付着量が少ないとともに付着部分が連続しないことで汚れが目立ちにくく、また、指紋が明瞭にその表面Ｆに残ることが防がれる。さらに、微細凹凸構成とされていることで表面Ｆにおける同方向への反射量が減少することでテカリの発生もない。したがって、この液晶画面用保護シート１を液晶画面上に貼り付け使用することで、従来に比して液晶画面の視認性がきわめて良好となる。なお、凹凸構成があることで表面Ｆの透明度は若干低下するが、凹凸構成が微細であるのでそれほど低下せず、液晶画面を支障なく見ることができる。
【図面の簡単な説明】
【００１２】
【図１】この考案の液晶画面用保護シートの使用状態を示す斜視図
【図２】この考案の液晶画面用保護シートの提供時の断面図
【図３】この考案の液晶画面用保護シートの要部拡大断面図
【符号の説明】
【００１３】１    液晶画面用保護シート
８    突起（凹凸微細構成）
Ｆ    表面
【図１】
0003155738.tif 000003
【図２】
0003155738.tif 000004
【図３】
0003155738.tif 000005
(57)【要約】      （修正有）【課題】風呂場の浴槽内で沈殿物とお尻が接触しないようにした浴槽椅子と、風呂場の洗い場でお湯を留めるようにしたパッキング付椅子を提供する。【解決手段】浴槽内で沈殿物とお尻との接触を防ぎ衛生を目的とする、又沈殿物が発生しても浴槽中の椅子を洗い乾燥させて浴槽の水を再利用出来るようにした。また、洗い場で寒い日にタイル張り等では寒さがひどく冷えを防ぐためパッキング付椅子を設けた。【選択図】図１
0003155735.tif 000002
【実用新案登録請求の範囲】
【請求項１】
風呂場の浴槽内で沈殿物とお尻が接触しないようにした浴槽椅子。
【請求項２】
風呂場の洗い場でお湯を留めるようにしたパッキング付椅子。
【考案の詳細な説明】
【技術分野】
【０００１】  本考案は、風呂場の浴槽内で沈殿物とお尻が接触しないようにした風呂場の洗い場でお湯を留めるようにしたパッキング付椅子に関するものである。
【背景技術】
【０００２】  足が冷えるのを防ぐ為洗い場にスノコを置いて利用している。
浴槽内で沈殿物とお尻が接触したまゝ使用している。
【先行技術文献】
【特許文献】
【０００３】
【特許文献１】
【非特許文献】
【０００４】
【非特許文献１】
【考案の概要】
【考案が解決しようとする課題】
【０００５】本考案は浴槽内で沈殿物とお尻が接触しないように浴槽椅子を設けたもので、解決しようとしている。
【課題を解決するための手段】
【０００６】本考案は、寒い時足先が冷えるのでパッキング付椅子５を水切り４の上部に置いてお湯を留めて使用するものである。
【考案の効果】
【０００７】上述の様に、本考案浴槽内で沈殿物とお尻が接触しないように浴槽椅子を設けた
浴槽椅子の裏面にステンレスの鏡２−２を設けたもので、鏡は髭剃りとして利用出来る。
【図面の簡単な説明】
【０００８】
【図１】本考案の浴室全体の一実施例を示す立体図である。
【図２】本考案の浴槽に入浴中の側面図
【図３】本考案の詳細図。
【考案を実施するための形態】
【０００９】上述の実施例は本考案の好適な実施の一例ではあるが、これに限定されるものではなく本考案の要旨を逸脱しない範囲においては種々変形の実施も可能である。
【実施例】
【００１０】以下、本考案の構成を図面に示す実施例に基づいて詳細に説明する。【００１１】浴槽内で沈殿物とお尻との接触を防ぎ衛生を目的とする、又沈殿物が発生しても浴槽中の椅子を洗い乾燥させて浴槽の水を再利用出来るようにした。
洗い場で寒い日にタイル張り等では寒さがひどく冷えを防ぐためパッキング付椅子を設けたもので、ある。【００１２】浴槽椅子は木材ステンレス鏡材合成樹脂で出来ている。
パッキング付椅子は材質はポリエチレン等、合成樹脂で出来ている。
【符号の説明】
【００１３】１→浴槽
２→浴槽椅子
２−１→浴槽椅子側面図
２−２→ステンレス鏡
２−３→浴槽椅子の平面図
３→洗い場のタイル
３−１→お湯
４→水切り蓋
５→パッキング付椅子
５−１→パッキング
６→子供用椅子
７→人
【図１】
0003155735.tif 000003
【図２】
0003155735.tif 000004
【図３】
0003155735.tif 000005
【手続補正書】
【提出日】平成21年9月4日(2009.9.4)
【手続補正１】
【補正対象書類名】実用新案登録請求の範囲
【補正対象項目名】全文
【補正方法】変更
【補正の内容】
【実用新案登録請求の範囲】
【請求項１】
円形をした浴槽椅子、裏面に水圧で浮上しないようにステンレス銅板を張り浴槽で沈殿物により浴槽椅子が滑らないように底部にパッキングを植え込んだ浴槽椅子。
(57)【要約】      （修正有）【課題】コンパクトで軽量運搬ができ、更に現地で大小二種類のかまどに使い分け使用ができ、しかも女性子供にも容易に組み立て、折りたたみが出来るかまどを提供する。【解決手段】三枚の組み合わせ斜め切り込み溝が加工されてなる展開平鋼板を組み立てると、即設三角錐型鋼板かまどが形成できる、三角錐型鋼板かまどの上部の表面積は小さいが、かまどを、ひっくり返して使用すると下部底辺が上になり、かまど表面積は上部表面積の約４倍に拡大することができる。このことは三角錐型かまど独特の大小兼用ができるかまどとなる訳である。三角錐型鋼板かまど上部、下部を使用すれば効率よく煮炊きものができる。【選択図】図２
0003155739.tif 000002
【実用新案登録請求の範囲】
【請求項１】
空気吸入口、焚口、その他組み立て用斜め切込み溝が加工されてなる、３枚の展開平鋼鈑を組み合わせる方法で、即設三角錐型鋼板（かまど）が形成できる、更に三角錐型、鋼板かまどで煮炊きする鍋釜の大きさに合わして必要であれば三角錐型鋼板かまど本体を上下に、ひっくり返して使用する方法で、大小二種類のかまどに兼用できるものである、更に斜め溝を複数加工すれば多種類のかまどが形成できる。屋外又は野外キャンプ場等で、枯れ木又は市販固形燃料、木炭等を燃やして容易に煮炊きものができることを特徴とした、組み立て式三角錐型鋼板かまど
【考案の詳細な説明】
【技術分野】
【０００１】屋外、野外キャンプ場等で、やかん、鍋釜、バーベキュ用金網等、全てに適用できて、効率よく煮炊物が容易に出来る、組み立て式三角錐型鋼板かまどである。
【背景技術】
【０００２】屋外又は野外キヤンプ場等で容易に煮炊物が出来る、簡易かまどとしては石油コンロ、ＬＰＧガスコンロ、ブリキ缶かまど、ドラム缶かまど等が使用されている。
【先行技術文献】
【特許文献】
【０００３】
【特許文献１】特許公開平７−２２２６８１［発明の名称］組立式かまど  鋼板使用の箱型組立式かまどであるが、ひっくり返して使用するものではない。
【特許文献２】特許公開平１１−５１３９６［発明の名称］折りたたみ式のかまどセット  折りたたみ可能な鋼板使用箱型かまどであるが、ひっくり返して使用できない。
【非特許文献１】建築用コンクリートブロックを使った簡易かまど製作方法が紹介されている。主に建築廃材仮焼却目的に使用されるものである
【非特許文献２】大小ドラム缶をかまどに加工した簡易かまど等が一般に実用化されている  主に工場廃材、商店廃材等の一時焼却等に使用されているものである
【考案の概要】
【考案が解決しようとする課題】
【０００４】組み立て式鋼板かまどはすでに多くの製品が開発されキャンプ用に市販されている。しかし鍋釜、やかん、バーベキュウ用金網等を使用する場合、煮炊きの効率面から、大小二種類のかまどがあれば便利であると思われる。三角錐型組立式鋼板かまどは上下ひっくり返して使用する方法で大小二種類のかまどに兼用できるものである
【課題を解決するための手段】
【０００５】三枚の組み合わせ斜め切り込み溝が加工されてなる展開平鋼板を組み立てると、即設三角錐型鋼板かまどが形成できる、三角錐型かまど上部の表面積は小さいが、かまどを、ひっくり返して使用すると下部底辺が上になり、かまど表面積は上部表面積の約４倍に拡大できる。このことは三角錐型かまど独特の大小兼用かまどができるわけである。三角錐型かまど上部に小さな鍋釜、やかん等を乗せて使用し、逆三角錐型かまどの大表面積上に、フライパン、バーベキュウ用金網等を乗せて使用すれば効率よく煮炊きものができるものである
【考案の効果】
【０００６】組み立て式簡易かまどは主に野外キャンプ場等で使用されるものである、そのため、かまどを折りたたんで車に搭載できることが望ましい、三角錐型かまどは三枚の平鋼板で形成されているため、最もコンパクトで軽量運搬ができる。更に現地で大小二種類のかまどに使い分け使用ができ、しかも女性子供にも容易に組み立て、折りたたみが出来るから大変便利である。
【図面の簡単な説明】
【０００７】
【図１】組立加工鋼板三枚の展開平面図
【図２】三角錐型鋼板かまど組立仕上り立体図
【図３】三角錐型鋼板かまど組立て逆の立体図
【考案を実施するための形態】
【０００８】キャンプ場、野外等で炊飯する場合、必ず煮炊きのできる、かまどが必要となるすでに便利な石油コンロ、ＬＰＧガスコンロ等があるが、車に搭載するには要燃料スペイスと火気扱いに危険性が伴うことから、現地で枯れ木又は固形燃料等、（木炭）が燃やせる、組み立て式鋼板かまどの需要が見込まれるものである。
【実施例】
【０００９】新たに考案した組み立て式三角錐型鋼板かまどをキャンプ場で三日間試用した結果、鍋釜、やかん、フライパン等を使っても、問題無く使用できることが確認された。次に三角錐型かまどを上下ひっくりかえして、底辺が上になったかまどの表面に、バーベキュウ用の大型金網を載せて使用した結果、大変効率よく大量のバーベキュウが上手に焼けたものである。
【産業上の利用可能性】
【００１０】組み立て式三角錐鋼板かまどを使えばキャンプ場での即設かまど、屋外集会場等での即設かまど、運動会場、バザー等での臨時即設かまど、災害現地での即設かまど等が、容易に設定できるものである。その他大掃除に大量廃棄される燃える家庭ごみ等の一時焼却に使用できるものである。
【符号の説明】
【００１１】（１）差込用斜め切り溝
（２）通気孔
（３）焚口用加工孔
（４）組み合わせ接合部
（５）三角錐上部開口部
（６）斜め切り込み溝部
【図１】
0003155739.tif 000003
【図２】
0003155739.tif 000004
【図３】
0003155739.tif 000005
【手続補正書】
【提出日】平成21年8月31日(2009.8.31)
【手続補正１】
【補正対象書類名】実用新案登録請求の範囲
【補正対象項目名】全文
【補正方法】変更
【補正の内容】
【実用新案登録請求の範囲】
【請求項１】
各々組み立て加工が施された三枚の矩形鋼板に設けられた斜め差込溝（１）を介して三枚鋼板を組み合わせると垂直三角錐ではなく、上部三角開口面積が狭く下部三角開口面積が広い三角錐型鋼板かまどができる、更に三角錐型鋼板かまどは上下逆にして使うこともできる、三枚の矩形鋼板のうち一枚に設けた、焚口用孔（３）から燃料を挿入して燃焼させ、三枚の矩形鋼板それぞれに設けた、通気孔（２）から燃焼に必要な酸素を取り入れることを特徴とした組み立て式三角錐型鋼板かまど